(57)【特許請求の範囲】
【請求項１】
光源から表示部へ光を照射することにより画像を表示する画像表示装置であって、
前記光源に、波長域445nm-480nmの光を発する発光体を含み、該波長域の光の強度を制御する制御手段と、
前記表示部における使用者の作業領域及び非作業領域の識別を行い、且つこれを作業情報とし、該作業領域を画像表示領域として、また該非作業領域を体内時計調整領域として割り当てを行う制御手段に出力する識別手段と、を備え、
前記表示部に、
映像情報の画像を表示する注視される作業領域と、
覚醒期には該波長領域の青色光の強度を増加させることでメラトニンの分泌量を抑制し、鎮静期には該青色光の強度を低下させることでメラトニンの分泌量を亢進させて体内時計調整を行うように、該青色光の強度を制御する制御手段により、該青色光の強度が制御される画像を表示する注視されることのない非作業領域と、を別個独立に設け、
前記注視される作業領域と前記注視されることのない非作業領域との間に境界領域を設ける、画像表示装置。
【請求項２】
前記波長域の光の強度を制御する任意の制御パターンを設定するための入力手段と、
入力された制御パターンを保持するための記憶手段と、を備え、
前記制御手段は、該入力手段により設定され、前記記憶手段から出力された制御パターンに応じて前記波長域の光の強度を制御することを特徴とする請求項１記載の画像表示装置。
【請求項３】
環境からの光を受光する光受光部を備え、
前記制御手段は、該光受光部からの出力に応じて前記波長域の光の強度を制御することを特徴とする請求項１記載の画像表示装置。
【発明の詳細な説明】
【技術分野】
【０００１】
本発明は、画像表示装置に関する。より詳しくは、生体リズムの調整機能を備える画像表示装置に関する。
【背景技術】
【０００２】
生体は体内に時計機構（体内時計）を持ち、生体機能に関する周期現象を制御している。代表的な周期現象としては、睡眠・覚醒、体温や血圧の変化などがあり、これらは特に概日周期（サーカディアンリズム）と呼ばれる生体リズムによって制御されている（非特許文献１参照）。サーカディアンリズムは、本来的には２４から２５時間周期を示すが、主として光環境により１日の周期である２４時間周期に同調されている。
【０００３】
特に、睡眠・覚醒のリズムの制御には、メラトニンと呼ばれるホルモンが関与しており、光環境の変化に応じてメラトニンの分泌量が変化することによってリズムの制御がなされている。すなわち、暗い環境下ではメラトニンの分泌量が増加し、メラトニンの鎮静作用が発揮される。逆に明るい環境下ではメラトニンがその分泌量を低下させることによって、覚醒作用がもたらされる。メラトニンは、この睡眠・覚醒のリズムの他にも、広くサーカディアンリズムの調整に機能していると考えられている。
【０００４】
現代社会においては、室内で過ごす時間が増加しているだけでなく、照明の発達により生活の夜型化が進んでおり、昼夜の光環境にあまり明暗変化がなくなっている。また、空路での往来が活発となり、時差によって昼夜が逆転した光環境に曝される機会も増えている。このため、光環境による生体リズムの同調が上手くなされず、睡眠障害や時差ボケといった生体リズムのずれに起因した健康問題が生じている。
【０００５】
そこで、近年、光環境を人為的にコントロールすることによって生体リズムの調整を行なおうとする技術が開発されてきている。
【０００６】
例えば、特許文献１には、屋内の照明を、日の出から日没までの太陽光の光量の変化の推移と対応するように変化させる照明システムが開示されている。
【０００７】
また、特許文献２及び３には、眼鏡のフレーム部分に、覚醒作用、ライトセラピー効果を促す照度、波長の光を発光して、装着者の目に発光した光を照射する発光部材を配置した眼鏡が開示されている。
【０００８】
特許文献４には、使用者を覚醒（又は鎮静）させる時間を任意に設定するための入力手段を備え、使用者を覚醒（又は鎮静）させる時間には、特定波長域（445-480nm）の光の強度を強く（又は弱く）するよう制御する表示装置が開示されている。なお、この波長域の光については、メラトニン分泌を抑制する効果が特に顕著であることが明らかにされている（非特許文献２参照）。
【０００９】
【特許文献１】特開平９−３０６６７２号公報
【特許文献２】特開２００２−３５０７９０号公報
【特許文献３】特表２００６−５２５０３９号公報
【特許文献４】特開２００６−２３１０５７号公報
【非特許文献１】小山恵美、「モデリングを通じた生体系特徴の時間生物学的理解」、計測と制御第４１巻 第１０号、２００２年１０月
【非特許文献２】「Action Spectrum for Melatonin Regulation in Humans:Evidence for a Novel Circadian Photoreceptor」, The Journal of Neuroscience, 2001 Aug 15;21(16):6405-12
【発明の開示】
【発明が解決しようとする課題】
【００１０】
特許文献１に開示される照明システムは、屋内の照明を変化させることによって生体リズムの調整を行なうものであるため、設備が大掛かりとなる。
【００１１】
また、特許文献２及び３に開示される眼鏡は、場所を選ばず生体リズムの調整効果を得ることが可能であるが、その都度眼鏡を装着しなければならない煩わしさがあった。
【００１２】
特許文献４に開示される表示装置は、パソコンやテレビ、モバイル機器のディスプレイとして採用可能なものである。しかし、メラトニンの分泌を抑制する青色光（波長域445-480nm）の強度を変化させる構成であるため、画面のホワイトバランスの変動や色合いの変化が生じ、画像が見づらくなってしまう可能性があった（当該文献段落００６０、００６９等参照）。
【００１３】
そこで、本発明は、画像の見え方を変化させることなく、体内時計の調整機能を発揮する画像表示装置を提供することを主な目的とする。
【課題を解決するための手段】
【００１４】
上記課題解決のため、本発明は、光源から表示部へ光を照射することにより画像を表示する画像表示装置であって、光源に、波長域445nm-480nmの光を発する発光体を含み、該波長域の光の強度を制御する制御手段を備え、表示部に、所定の画像を表示する領域と、制御手段により前記波長域の光の強度が制御された画像を表示する領域と、を別個独立に備える画像表示装置を提供する。
この画像表示装置は、表示部における使用者の作業領域と、非作業領域と、を識別する識別手段を備え、制御手段は、識別手段からの出力に応じ、非作業領域に前記波長域の光の強度が制御された画像を表示させる。
また、画像表示装置は、前記波長域の光の強度を制御する任意の制御パターンを設定するための入力手段と、入力された制御パターンを保持するための記憶手段と、を備えていてもよい。これにより、該入力手段により設定され、前期記憶手段から出力された制御パターンに応じて、前記制御手段が前記波長域の光の強度を制御することを可能とする。
さらに、画像表示装置は、環境からの光を受光する受光部を備えていてもよく、これにより、受光部からの出力に応じて、前記制御手段が前記波長域の光の強度を制御することを可能とする。
【００１５】
本発明において、「画像」には、静止画や動画、文字や図表等のディスプレイに表示される映像を広く含み、通常、パソコンやテレビ、携帯電話等のディスプレイに表示され得る映像情報を意味するものとする。
【００１６】
また、「作業領域」とは、表示部において、使用者が静止画や動画、文字や図表等の画像を表示させ、静止画・動画の鑑賞や文字・図表の編集等の「作業」を行っている領域を意味するものとする。対して、「非作業領域」とは、表示部において、使用者がこれらの作業を行っていない領域を意味する。「非作業領域」の具体例としては、パソコンでの文書作成時において、ディスプレイ中の文書作成アプリケーションウィンドウ外の領域であって、デスクトップ背景画像が表示されている領域が挙げられる。また、他の例として、テレビ画面を２画面分割で視聴する際に、一方の分割画面にのみ映像表示をさせている場合、他方の分割画面が非作業領域となる。「作業領域」と「非作業領域」は、ディスプレイの使用者において「注視される領域」と「注視されることがない領域」と言うことができる。
【００１７】
「制御パターン」とは、上記特定波長域の光の強度を時刻と対応付けて格納した情報を意味するものとする。
【発明の効果】
【００１８】
本発明により、画像の見え方を変化させることなく、体内時計の調整機能を発揮する画像表示装置が提供される。
【発明を実施するための最良の形態】
【００１９】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００２０】
図１を参照して、本発明に係る画像表示装置の構成を説明する。
【００２１】
図１（Ａ）に示すように、本発明に係る画像表示装置Ａは、光源１と、光源１から光を照射されて画像を表示する表示部２とを備えている。
【００２２】
光源１は、波長域445nm-480nmの光（以下、「青色光」という）を発する発光体を含んでいる。この波長域の光は、顕著なメラトニン分泌抑制作用を有する（非特許文献２参照）。
【００２３】
表示部２は、所定の画像を表示する領域２１（以下、「画像表示領域２１」という）と、光源１からの青色光の強度が制御された画像を表示する領域２２（以下、「体内時計調整領域２２」という）を別個独立に備えている。画像表示領域２１は、使用者において所望する所定の画像の表示を行なう。そして、体内時計調整領域２２は、青色光強度を制御した画像を表示することにより、使用者のメラトニン分泌量を制御し、体内時計の調節を行なう。
【００２４】
より具体的には、体内時計調整領域２２における画像の青色光強度を増加させると、使用者のメラトニン分泌量が抑制され、使用者を覚醒する作用がもたらされる。逆に、青色光強度を低下させると、使用者のメラトニン分泌量が抑制されることがなく、使用者を鎮静することが可能となる。
【００２５】
体内時計調整領域２２に表示する画像は任意であってよく、例えば、美しい印象を与える幾何学模様の画像や、特に画像表示装置Ａをパソコンのディスプレイとして採用するような場合には、デスクトップ背景画像とすることができる。
【００２６】
画像表示装置Ａは、さらに、光源１から発光される光の強度を制御する制御手段３と、表示部２における使用者の作業領域と非作業領域とを識別し作業情報を制御手段３に出力する識別手段４とを備える。
【００２７】
識別手段４は、画像信号出力部Ｂから出力される画像信号に基づいて、表示部２における使用者の作業領域と非作業領域の識別を行い、これを作業情報として制御手段３へ出力する。画像信号出力部Ｂは、例えば、パソコンであればビデオボードである。パソコンにおいて、使用者がキーボードやマウス等の入力機器を用いて入力した情報は、ＣＰＵで処理された後ビデオボードにおいて画像信号に変換されディスプレイに出力される。識別手段４は、このビデオボードから出力される画像信号に基づいて、表示部２における使用者の作業領域と非作業領域の識別を行なう。
【００２８】
制御手段３は、識別手段４からの作業情報の出力を受け、作業領域を上記画像表示領域２１として、また非作業領域を体内時計調整領域２２として割り当てを行い、画像表示領域２１では所定の画像の表示を、そして体内時計調整領域２２では青色光強度を制御した画像の表示を行なう。
【００２９】
画像表示装置Ａは、さらに、青色光の強度を制御する任意の制御パターンを設定するための入力手段５と、入力された制御パターンを保持するための記憶手段６と、環境からの光を受光して光環境情報を制御手段３に出力する光受光部７を備えている。
【００３０】
ここで、「制御パターン」とは、青色光の強度を時刻と対応付けて格納した情報を意味する。制御パターンとしては、使用者が通常寝起き状態である早朝の時間帯や、眠くなりやすい昼食後の時間帯に青色光強度を増加させるパターン、あるいは夜間勤務者を想定した夜間に青色光強度を増加させるパターンなど、複数の制御パターンがある。
【００３１】
入力手段５は、使用者において所望の体内時計調整効果を得るために青色光の強度の制御パターンを任意に設定するためのものである。また、入力手段５は、使用者の所望に応じて、設定された複数の制御パターンのいずれかを記憶手段６へ出力する。出力された制御パターンは、記憶手段６に保持される。
【００３２】
また、記憶手段６には、使用者により任意に設定される制御パターンのほか、予め標準的な制御パターンを保持させておくこともできる。入力手段５においては、これらの予め記憶手段６によって保持された制御パターンを使用者が選択して制御手段３へ出力させることも可能である。
【００３３】
光受光部７は、照明光や太陽光などの環境からの光を受光して、その強度を光環境情報として制御手段３に出力する。
【００３４】
制御手段３は、使用者の選択により記憶手段６から出力された制御パターンに応じて青色光強度の制御を行なった画像を、体内時計調整領域２２に表示する。この際、制御手段３は、図中符号８で示す時刻出力手段から現在時刻を示す時刻情報の出力を受け、現在時刻を参照し制御パターンの実行を行なう。さらに、制御手段３は、光受光部７からの光環境情報の出力を受け、環境光の強度に応じて青色光強度の制御を行なう。
【００３５】
次に、図２を参照して、制御手段３による光源１の制御方法をより具体的に説明する。
【００３６】
画像表示装置Ａの表示部２は、有機ＥＬ（エレクトロルミネッセンス）パネルや液晶パネル等であって、光源３から光を照射されることにより画像を表示可能な部材であれば特に限定されず採用することができる。以下、画像表示部２として、有機ＥＬパネルを採用した場合を例に説明する。
【００３７】
画像表示装置１は、表示部（有機ＥＬパネル）２の各画素に付与する電流を制御する制御手段３を備えている。
【００３８】
表示部（有機ＥＬパネル）２は多数のセルで構成されるものである。各セルは、図２に示すように、ガラス基板２３と、陽極２４と、光源１として赤色に発光する有機層（発光体）１１と、緑色に発光する有機層（発光体）１２と、青色に発光する有機層（発光体）１３と、陰極２５とで構成される。
【００３９】
図では、表示部２の画像表示領域２１及び生体時計調整領域２２に位置するセルを便宜上１つずつ示している。
【００４０】
上記構成により、画像表示装置Ａは、表示部２における各セルを１画素として構成し、有機層１１，１２，１３からそれぞれ発せられる光を混色することでカラー表示を行う。
【００４１】
この際、有機層１３を発光させると、波長域445nm-480nmの青色光が発生するので、画像表示装置Ａの使用者のメラトニン分泌量が抑制され、使用者を覚醒する作用がもたらされることとなる。そこで、使用者を覚醒する効果を得たい場合には、制御手段３により有機層１３に付与する電流を上げることにより発光強度を増加させるか、有機層１１及び１２に比べて相対的に発光強度を大きく制御する。逆に、使用者を鎮静する効果を得たい場合には、制御手段３により有機層１３に付与する電流を下げることにより発光強度を低下させるか、有機層１１及び１２に比べて相対的に発光強度を小さく制御する。
【００４２】
しかしながら、一般に、このように有機層１３の発光強度を変化させた場合、ディスプレイのホワイトバランスが変動してしまうことが問題となる。また、有機層１３の発光強度を急激に変化させると、ディスプレイの色合いが急激に変化し、使用者に不快感を与えるおそれもある。
【００４３】
そのため、本発明に係る画像表示装置Ａでは、表示部２に画像表示領域２１と体内時計調整領域２２を別個独立に設け、画像表示領域２１では使用者において所望する所定の画像の表示を行なう一方、体内時計調整領域２２では、有機層１３の発光強度を制御した画像を表示する構成とした。
【００４４】
すなわち、制御手段３は、識別手段４からの作業情報の出力を受け、作業領域を上記画像表示領域２１として、また非作業領域を体内時計調整領域２２として割り当てを行い、使用者において「注視されることがない領域」である非作業領域でのみ有機層１３の発光強度の制御を行う。これにより、画像表示装置Ａでは、使用者に「注視される領域」である作業領域のホワイトバランスや色合いの変化を引き起こすことがない。
【００４５】
なお、表示部（有機ＥＬパネル）２は、発光体として用いる有機層が青色光などの単色光を発し、その単色光が呈する色を蛍光体により色変換する構成のものであってもよい。または、発光体としての有機層が白色光を発し、その白色光により呈される色をフィルタによって赤、緑、青の３色に変換するカラーフィルタ方式のものであってもよい。
【００４６】
また、表示部（有機ＥＬパネル）２は、有機層１１，１２，１３の代わりに無機ＥＬを発光体として用いる構成であってもよい。さらに、有機ＥＬパネル２を、各色を発光する発光体としてＬＥＤ（発光ダイオード）を用いたＬＥＤディスプレイにより代用することもできる。
【００４７】
有機層の数については、各色の有機層の最大発光強度の違いにあわせて弱い発光強度の有機層の数を増やしてもよい。さらに、同一色の有機層を２つ、あるいは複数並べてもよい。有機層の配置についても、全ての有機層を図２に示すように一列に配置する必要はなく、１つおきに場所をずらして配置してもよいし、有機層を各色について分類し、分類された同一色の有機層を一列に配置してもよい。また、図２に示すように、有機層１１、有機層１２、および有機層１３をこの順番で並べる必要はなく、有機層の配列順は任意に選択することができる。
【００４８】
図３は、表示部２における画像表示領域２１と体内時計調整領域２２の配置例を示す図である。
【００４９】
表示部２における画像表示領域２１と体内時計調整領域２２の位置は、識別手段４から出力される作業情報に基づいて制御手段３により割り当てられるものである。従って、図に示すように、画像表示領域２１と体内時計調整領域２２の配置は、使用者の所望に応じて任意に設定することが可能である。
【００５０】
例えば、図３（Ａ）は表示部２中央に画像表示領域２１を、その周囲に体内時計調整領域２２が配置された状態を示している。この場合、（Ｂ）に示すように画像表示領域２１の大きさは任意に変更可能である。
【００５１】
また、（Ｃ）は表示部２の左に画像表示領域２１を、右に体内時計調整領域２２が配置された状態を示し、（Ｄ）は上に画像表示領域２１を、下に体内時計調整領域２２が配置された状態を示している。
【００５２】
このような画像表示領域２１と体内時計調整領域２２の配置は、例えば、パソコンであれば使用者がキーボードやマウス等の入力機器を用いて、表示部２におけるアプリケーションウィンドウの大きさや位置を任意に設定することにより、画像信号出力部Ｂ（ビデオボード、図１参照）及び識別手段４を介して、制御手段３によって割り当てられる。
【００５３】
画像表示装置Ａで体内時計調整を行わない場合には、（Ｅ）に示すように表示部２の全域を画像表示領域２１としたり、逆に、静止画・動画の鑑賞や文字・図表の編集等の作業を行わない場合には、（Ｆ）に示すように全域を体内時計調整領域２２として用いることも可能である。
【００５４】
さらに、図４に示すように、画像表示領域２１と体内時計調整領域２２に境界領域２６（図中、斜線で示す）を設けてもよい。
【００５５】
境界領域２６は、制御手段３において、識別手段４から出力される作業情報に基づいて画像表示領域２１及び体内時計調整領域２２の割り当てを行なう際、併せてその境界部に割り当てられるものである。
【００５６】
画像表示装置Ａでは、使用者の作業領域である画像表示領域２１でのみで有機層１３の発光強度の制御を行なうため、有機層１３の発光強度の変化に伴うホワイトバランスや色合いの変化によって、使用者に不快感を与えることがない。しかしながら、画像表示領域２１と体内時計調整領域２２を隣接して設けた場合、使用者が画像表示領域２１の辺縁を視認している際に体内時計調整領域２２のホワイトバランスや色合いの変化が気にかかる可能性がある。また、体内時計調整領域２２の青色光が画像表示領域２１に映り込んでしまう可能性も考えられる。境界領域２６は、これらの可能性を排除するために設けられる。
【００５７】
境界領域２６の幅は、適宜設定することができ、表示部２の大きさによって適当な幅を選択可能である。また、使用者が所望の幅を設定可能な構成とすることもできる。
【００５８】
このように配置された体内時計調整領域２２において、青色光強度の制御による体内時計調整を行うか否かについては、使用者において選択可能であり、必ずしも体内時計調整領域２２において常に青色光強度の制御を行う必要はない。従って、画像表示装置Ａには、体内時計調整領域２２での体内時計調整を行うか否かを選択可能な切替手段を設けておくことが望ましい。
【００５９】
続いて、図５を参照して、制御手段３による青色光強度の制御手順を説明する。
【００６０】
まず、ステップ１（以下、「Ｓ１」と略記する）において、制御手段３は、識別手段４から作業情報を得て、画像表示領域２１及び体内時計調整領域２２の割り当てを行なう。すなわち、識別手段４により作業領域と識別された画像表示領域２１については青色光の制御を行なうことなく手順を終了させる。結果として、画像表示領域２１には、画像信号出力部Bからの画像信号に基づいた所定の画像が表示されることとなる。
【００６１】
一方、非作業領域と識別された領域については、体内時計調整領域２２として、Ｓ２以降の手順に従い青色光強度を制御した画像の表示が行われる。
【００６２】
まず、Ｓ２では、制御手段３は、時刻出力手段８から現在時刻を示す時刻情報を得る。そして、Ｓ３で、記憶手段６に保持、使用者によって選択された制御パターンを参照する。ここで、Ｓ２及びＳ３の手順は順不同であってよく、先に制御パターンの参照を行なった後に時刻情報を得る構成であってもよい。
【００６３】
上述の通り、記憶手段６には、使用者において所望の体内時計調整効果を得るための任意の制御パターンが保持されている。この制御パターンは、入力手段５によって任意に入力されるものの他、予め記憶手段６に保持させておいたものであってもよい。
【００６４】
「表１」は、制御パターンの一例を示す表である。表に示す制御パターンＰ１は、起床時刻が8：00であり、就寝時刻が24：00である使用者を想定した制御パターンである。
【００６５】
【表１】
0004692528.tif 000002
【００６６】
表中、「覚醒期」は使用者が覚醒効果を得たい時間帯を、「鎮静期」は鎮静効果を得たい時間帯を意味している。覚醒期においては、青色光の強度を増加させることでメラトニンの分泌量を抑制し、鎮静期には青色光の強度を低下させることでメラトニンの分泌量を亢進させることとなる。
【００６７】
Ｓ４で、制御手段３は、時刻出力手段８から得た時刻情報をこの制御パターンＰ１と参照し、現在時刻が覚醒期に設定されているか（「Ｙｅｓ」）、鎮静期に設定されているか（「Ｎｏ」）を判定する。
【００６８】
具体的には、時刻出力手段８から得た時刻情報が使用者の睡眠時間帯である7:00である場合、制御パターンＰ１との参照により、現在時刻が鎮静期である（「Ｎｏ」）と判定する。また、時刻出力手段８から得た時刻情報が起床後の9:00である場合、現在時刻が覚醒期である（「Ｙｅｓ」）と判定する。
【００６９】
その後、制御手段３は、Ｓ５において光受光部７から環境からの光の強度を示す光環境情報を光受光部７から得て、環境光の強度に応じて青色光強度の制御を行なう（Ｓ６）。
【００７０】
上記の例で、時刻出力手段８から得た時刻情報が起床後の9:00である場合（Ｓ４で覚醒期（「Ｙｅｓ」）と判定された場合）、制御手段３は青色光強度を増加させることで、メラトニンの分泌量を抑制する。これによって、使用者に覚醒効果をもたらす。
【００７１】
この際、環境光の強度が小さい場合（使用者が暗い環境下にいる場合）には、青色光の強度を少し増加させるだけで効果を得ることが可能であり、環境光の強度が大きい場合（使用者が明るい環境下にいる場合）には、青色光強度をより大きく制御して、使用者の目に十分量な青色光が感知されるようにする。
環境光の強度の大小は、例えば100luxを基準とすることができる。サーカディアンリズムは、100lux以上の光環境によって同調されることが知られているためである（Proc. Natl. Acad. Sci. USA.; 2007 May 22;104(21):9081-6. Epub 2007 May 14参照）。
【００７２】
一方、上記「表１」の例で、時刻出力手段８から得た時刻情報が就寝前の23:00である場合（Ｓ４で覚醒期（「Ｎｏ」）と判定された場合）には、制御手段３は青色光強度を低下させることにより、メラトニンの分泌を促進する。これによって、使用者に鎮静効果をもたらし就寝を促す。
【００７３】
次に、入力手段５の構成及び設定可能な制御パターンの例を説明する。入力手段５は、使用者において青色光の強度の制御パターンを任意に設定するためのものであり、その構成は特に限定されるものではないが、例えば、以下のような構成により制御パターンを設定する。
【００７４】
図６は、入力手段５における制御パターン設定画面の一例である。図中、符号５１で示す制御パターン設定画面は、表示部２の画像表示領域２１に表示される構成が好適であるが、画像表示装置Aの表示部２以外の部分に専用の表示画面を設けることもできる。
【００７５】
制御パターン設定画面５１は、空路で移動する場合に出発地と到着地との間で時差により昼夜の時間帯が変わる際、画像表示装置Aによって生体リズムの調整を行う場合を想定したものである。例えば、飛行機機内の各座席に備え付けられたディスプレイとして画面表示装置Aを採用する場合や、機内で使用するパソコンの画面として画面表示装置Aを採用する場合が想定される。
【００７６】
図中、符号５２は出発地入力部であり、出発地を設定すると出発地時刻表示部５３に出発地の時刻が表示される。また、符号５４は到着地入力部であり、到着地を設定すると到着地時刻表示部５５に到着地時刻が表示される。この出発地と到着地の設定により、入力手段５は時差を算出して、最適な制御パターンを作成し、記憶手段６へ出力する。
【００７７】
例えば、上述の起床時刻が8：00であり、就寝時刻が24：00である使用者を想定した制御パターンＰ１において、出発地時刻を到着地時刻に換算し、使用者が到着地時刻に適応しやすくなるよう、時間帯ごとに設定されている覚醒期又は鎮静期を変更し、制御パターンＰ２を作成する。
【００７８】
そして、航空機機内の各座席に備え付けられたディスプレイとして画面表示装置Ａを採用する場合や、機内で使用するパソコンの画面として画面表示装置Ａを採用する場合に、制御手段３がこの制御パターンＰ２を参照して青色光の制御を行うことにより、空路での移動中に使用者の生体リズムを到着地時刻に適合させることを可能とする。
【００７９】
このように本発明に係る画像表示装置Ａでは、例えば、「表１」に示した制御パターンＰ１のように使用者の生体リズムを維持する目的や、上記の制御パターンＰ２のように使用者の生体リズムを修正（適化）する目的で、様々な制御パターンを採用することが可能である。
【００８０】
なお、図６中、符号５６は上述の光受光部７によって受光された環境光の強度を表示する部位であり、符号５７は使用時に体内時計の調整を行うか否かを表示する部位である。
【００８１】
図７は、画像表示装置Ａをディスプレイに採用したノート型パソコンを示す。図中、符号７は光受光部である。また、符号９は、上述の体内時計調整領域２２での体内時計調整を行うか否かを選択するための切替手段（切替スイッチ）である。
【００８２】
光受光部７は、環境光を受光可能であって、表示部２から発せられる光を受光しないような位置に設けることが望ましく、例えば、図に示す表示部２の外枠（フレーム）や画像表示装置Ａの裏面に設けられる。
【産業上の利用可能性】
【００８３】
本発明に係る画像表示装置は、パソコンやテレビ、モバイル機器のディスプレイや、航空機機内の各座席に備え付けられたディスプレイなど幅広い表示装置に採用され、体内時計の調整のために使用可能なものである。
【図面の簡単な説明】
【００８４】
【図１】本発明に係る画像表示装置の構成を説明する図である。
【図２】制御手段３による光源１の制御方法を説明する図である。
【図３】表示部２における画像表示領域２１と体内時計調整領域２２の配置例を示す図である。
【図４】表示部２における画像表示領域２１と体内時計調整領域２２の他の配置例を示す図である。
【図５】制御手段３による青色光強度の制御手順を説明する図である。
【図６】入力手段５における制御パターン設定画面の一例を示す図である。
【図７】画像表示装置Ａをディスプレイに採用したノート型パソコンを示す図である。
【符号の説明】
【００８５】
Ａ  画像表示装置
Ｂ  画像信号出力部
１  光源
１１  有機層（赤色）
１２  有機層（緑色）
１３  有機層（青色）
２  表示部
２１  画像表示領域
２２  体内時計調整領域
２６  境界領域
３  制御手段
４  識別手段
５  入力手段
６  記憶手段
７  光受光部
８  時刻出力手段
９  切替手段
５１  制御パターン設定画面
【図１】
0004692528.tif 000003
【図２】
0004692528.tif 000004
【図３】
0004692528.tif 000005
【図４】
0004692528.tif 000006
【図５】
0004692528.tif 000007
【図６】
0004692528.tif 000008
【図７】
0004692528.tif 000009